(57)【要約】【課題】  上面照射による蛍光Ｘ線分析用の液体試料容器において、分析窓が平坦でかつその内側に空気がなく、容器内部の空気全体の量も少ないように、液体試料を容易に充填できるものを提供する。【解決手段】  液体試料７を充填し、上方から１次Ｘ線１１を照射して蛍光Ｘ線分析するための容器であって、円筒状の本体１と、その本体１の上側開口部に、Ｘ線を透過させるフィルムからなる分析窓３を着脱自在に取り付けるための上側係止部材４と、前記本体１の下側開口部に、フィルムからなる底部５を着脱自在に取り付けるための下側係止部材６とを備える。そして、前記本体１が、下向きの傘状で中央に孔２ａを設けられた仕切り部２を有する。【選択図】  図１
2005345442.tif 000002
【特許請求の範囲】
【請求項１】
液体試料を充填し、上方から１次Ｘ線を照射して蛍光Ｘ線分析するための容器であって、
円筒状の本体と、
その本体の上側開口部に、Ｘ線を透過させるフィルムからなる分析窓を着脱自在に取り付けるための上側係止部材と、
前記本体の下側開口部に、フィルムからなる底部を着脱自在に取り付けるための下側係止部材とを備え、
前記本体が、下向きの傘状で中央に孔を設けられた仕切り部を有する蛍光Ｘ線分析用液体試料容器。
【請求項２】
液体試料を充填し、上方から１次Ｘ線を照射して蛍光Ｘ線分析するための容器であって、
円筒状の本体と、
その本体の上側開口部に、Ｘ線を透過させるフィルムからなる分析窓を着脱自在に取り付けるための上側係止部材と、
前記本体の下側開口部に着脱自在な底部とを備え、
前記本体が、下向きの傘状で中央に孔を設けられた仕切り部を有する蛍光Ｘ線分析用液体試料容器。
【請求項３】
請求項１または２において、
前記上側係止部材が前記本体の外側に嵌合する輪状であり、その上側係止部材と前記本体との間に前記分析窓の周辺部が挟持されることにより、前記分析窓が前記本体に取り付けられる蛍光Ｘ線分析用液体試料容器。
【請求項４】
請求項１において、
前記下側係止部材が前記本体の外側に嵌合する輪状であり、その下側係止部材と前記本体との間に前記底部の周辺部が挟持されることにより、前記底部が前記本体に取り付けられる蛍光Ｘ線分析用液体試料容器。
【請求項５】
請求項１ないし４のいずれか一項において、
前記本体が、円筒状の外側側部と、その外側側部の内側に嵌合する円筒状の内側側部とからなり、その内側側部に前記仕切り部が一体に形成されている蛍光Ｘ線分析用液体試料容器。
【発明の詳細な説明】
【技術分野】
【０００１】
本発明は、液体試料を充填し、上方から１次Ｘ線を照射して蛍光Ｘ線分析するための容器に関する。
【背景技術】
【０００２】
蛍光Ｘ線分析には、試料の上方から１次Ｘ線を照射する上面照射と、試料の下方から１次Ｘ線を照射する下面照射とがあるが、上面照射の場合には、Ｘ線管、検出器、その他の光学系などの重要な部品が試料よりも上方にあるので、粉体や液体である試料が測定の際に万一こぼれても、汚染や損傷の被害が甚大でないという利点がある。
【０００３】
上面照射による蛍光Ｘ線分析用の第１の液体試料容器として、図７の断面図（簡単のため、ハッチングは液体試料にのみ施す。他の図においても同様。）に示すものがある。この容器には、以下のようにして液体試料７を充填する。まず、図８に示すように、底付き円筒状の本体２１の開口部から液体試料７を開口部の縁ぎりぎりまで入れる。後述する気泡抜きのために、本体２１の内側には、下向きの傘状（頂点を下にした円錐の側面状）で中央に孔２ａのある仕切り部２が設けられているので、液体試料７を入れた結果、かなりの量の空気８ｂが、仕切り部２の下側に溜まる。
【０００４】
次に、図９に示すように、本体２１の開口部に、Ｘ線を透過させるフィルムからなる分析窓３を、本体２１の外側に嵌合する輪状の係止部材４を用いて着脱自在に取り付ける。つまり、本体２１の開口部を覆うように、本体２１の外径よりもやや直径の大きい円形のフィルムである分析窓３を載せ、上方から係止部材４を本体２１の外側に嵌合させることにより、係止部材４と本体２１との間に分析窓３の周辺部３ａを挟持させて、本体２１の開口部に分析窓３を取り付ける。この際、正しい蛍光Ｘ線分析のために、分析窓３は、平坦で（しわがなく、膨らみもへこみもせず、ピンと張った状態で）、かつ内側に空気がないように取り付けるべきであるが、容易でなく、平坦に取り付けられても内側にいくらか気泡（空気）８ｃが入ることが多い。
【０００５】
そこで、図１０に示すように、容器を上下逆にして気泡８ｃが仕切り部２の孔２ａを通るようにし、さらに容器をやや傾けて気泡８ｃを底の内面に沿って上方（矢印の方向）へ移動させて、仕切り部２の下側にあった空気８ｂと一体化させ、その空気が孔２ａを通らないようにしながら、再度容器を上下逆にして、図７に示すように、容器内部の空気全体８を仕切り部２の下側に溜める。このような気泡抜きと呼ばれる作業を行えば、分析窓３のすぐ下にはＸ線を減衰させる空気がない状態になるので、上面照射による蛍光Ｘ線分析を正しく行える。
【０００６】
また、この容器とは異なる、上面照射による蛍光Ｘ線分析用の第２の液体試料容器が、特許文献１に開示されている。
【特許文献１】特開２００１−２５５２８９号公報
【発明の開示】
【発明が解決しようとする課題】
【０００７】
しかし、前記従来第１の液体試料容器では、液体試料７を入れる際に仕切り部２の下側に空気８ｂが溜まりやすい上に（図８）、分析窓３を取り付ける際にも気泡８ｃが入りやすいので（図９）、容器内部の空気全体８の量が多く、気泡抜きを行っても、容器内部の空気全体８を仕切り部２の下側に溜めることが容易でない。容器内部の空気全体８の量が、仕切り部２の下側に溜められる量を上回ることもあり、このような場合には、分析窓３のすぐ下に空気が残って正しい分析ができないことになるので、充填作業をやり直さなければならない。
【０００８】
また、液体試料７が開口部の縁ぎりぎりまで入った状態で、できるだけ気泡８ｃが入らないようにしつつ、しかも平坦に分析窓３を取り付けるのは、熟練した者が行っても容易でない。平坦に取り付けられたとしても、前述したように仕切り部２の下側にかなりの量の空気８が溜まることから、それが測定中に温度上昇により膨張すると、分析窓３が張り出して平坦でなくなり、検出器と液体試料７との距離が変わって分析が不正確になるだけでなく、破裂するおそれもある。
【０００９】
一方、前記従来第２の液体試料容器では、空気を分析窓（Ｘ線透過シート）のすぐ下から逃がして溜めておくスペースが設けられていないので、いったんわずかでも空気が入れば、充填作業をやり直さなければならない。
【００１０】
本発明は前記従来の問題に鑑みてなされたもので、上面照射による蛍光Ｘ線分析用の液体試料容器において、分析窓が平坦でかつその内側に空気がなく、容器内部の空気全体の量も少ないように、液体試料を容易に充填できるものを提供することを目的とする。
【課題を解決するための手段】
【００１１】
前記目的を達成するために、本発明の第１構成は、液体試料を充填し、上方から１次Ｘ線を照射して蛍光Ｘ線分析するための容器であって、円筒状の本体と、その本体の上側開口部に、Ｘ線を透過させるフィルムからなる分析窓を着脱自在に取り付けるための上側係止部材と、前記本体の下側開口部に、フィルムからなる底部を着脱自在に取り付けるための下側係止部材とを備える。そして、前記本体が、下向きの傘状で中央に孔を設けられた仕切り部を有する。
【００１２】
第１構成の蛍光Ｘ線分析用液体試料容器を用いれば、先に上側開口部に分析窓を取り付けてから、本体を上下逆にして下側開口部から液体試料を入れることができる。このとき、仕切り部は上向きになっているので、前記従来第１の容器のように容器内部に空気が溜まることはない。そして、下側開口部に底部を取り付ける際には、分析窓と異なり平坦に取り付ける必要がないことから、作業者は気泡が入らないようにすることだけに注力できるので、気泡が入りにくい。仮に前記従来第１の容器で分析窓を取り付ける際と同程度の気泡が入ったとしても、それよりも前に容器内部に溜まっている空気がないので、気泡抜きの作業を容易かつ確実に行うことができ、仕切り部の下側に溜まる空気も気泡の分だけで微量である。
【００１３】
また、液体試料を入れる前に分析窓を取り付けることができ、その際には、気泡混入の問題がないことから、作業者は平坦に取り付けることだけに注力できるので、平坦に取り付けやすい。以上のように、第１構成の蛍光Ｘ線分析用液体試料容器によれば、分析窓が平坦でかつその内側に空気がなく、容器内部の空気全体の量も少ないように、液体試料を容易に充填できる。
【００１４】
本発明の第２構成は、液体試料を充填し、上方から１次Ｘ線を照射して蛍光Ｘ線分析するための容器であって、円筒状の本体と、その本体の上側開口部に、Ｘ線を透過させるフィルムからなる分析窓を着脱自在に取り付けるための上側係止部材と、前記本体の下側開口部に着脱自在な底部とを備える。そして、前記本体が、下向きの傘状で中央に孔を設けられた仕切り部を有する。本発明の第２構成によっても、前記第１構成と同様の作用効果が得られる。
【発明を実施するための最良の形態】
【００１５】
以下、本発明の第１実施形態の液体試料容器について、図にしたがって説明する。この容器は、図１に示すように、液体試料７を充填して試料台９の上に載置し、上方のＸ線管などのＸ線源１０から１次Ｘ線１１を照射して、発生する蛍光Ｘ線１２を検出器などの検出手段１３で蛍光Ｘ線分析するための容器であって、円筒状の本体１と、その本体１の上側開口部に、Ｘ線を透過させるフィルムからなる分析窓３を着脱自在に取り付けるための上側係止部材４と、本体１の下側開口部に、フィルムからなる底部５を着脱自在に取り付けるための下側係止部材６とを備える。そして、本体１が、下向きの傘状で中央に孔２ａを設けられた仕切り部２を有している。
【００１６】
この第１実施形態や後述する第２実施形態では、本体１は、円筒状の外側側部１ａと、その外側側部１ａの内側に嵌合する円筒状の内側側部１ｂとからなり、その内側側部１ｂに、前記仕切り部２が一体に形成されているが、本発明ではそのように限定されず、例えば仕切り部を含む本体全体を一体に形成してもよい。
【００１７】
上側係止部材４は本体１の外側に嵌合する輪状であり、その上側係止部材４と本体１との間に分析窓３の周辺部３ａが挟持されることにより、分析窓３が本体１に取り付けられる。同様に、下側係止部材６も本体１の外側に嵌合する輪状であり、その下側係止部材６と本体１との間に底部５の周辺部５ａが挟持されることにより、底部５が本体１に取り付けられる。
【００１８】
本体１、上側係止部材４、下側係止部材６は、例えば、ポリプロピレン、ポリエチレンなどからなる。
【００１９】
分析窓３として用いられるフィルムは、液体試料７の特性や測定する蛍光Ｘ線に応じて、材質や厚さが選ばれるが、例えば、ポリエステル、ポリプロピレン、ポリイミドなどからなる。底部５として用いられるフィルムは、Ｘ線の透過性について配慮する必要がなく、液体試料７に対する耐性や機械的強度があればよいので、分析窓３として用いられるフィルムと同じであっても、異なってもよい。
【００２０】
この容器には、以下のようにして液体試料７を充填する。まず、図２に示すように、本体１の上側開口部を覆うように、本体１の外径よりもやや直径の大きい円形のフィルムである分析窓３を載せ、上方から上側係止部材４を本体１の外側に嵌合させることにより、上側係止部材４と本体１との間に分析窓３の周辺部３ａを挟持させて、本体１の上側開口部に分析窓３を取り付ける。このときはまだ液体試料を入れる前であり、気泡混入の問題がないことから、作業者は平坦に（しわがなく、膨らみもへこみもせず、ピンと張った状態に）取り付けることだけに注力できるので、分析窓３を平坦に取り付けやすい。
【００２１】
次に、図３に示すように、容器を上下逆にし、下側開口部（図３では上側に位置している）から液体試料７を下側開口部の縁ぎりぎりまで入れる。このとき、仕切り部２は上向きになっているので、前記従来第１の容器のように容器内部に空気が溜まることはない。
【００２２】
次に、図４に示すように、本体１の下側開口部（図４でも上側に位置している）を覆うように、本体１の外径よりもやや直径の大きい円形のフィルムである底部５を載せ、上方から下側係止部材６を本体１の外側に嵌合させることにより、下側係止部材６と本体１との間に底部５の周辺部５ａを挟持させて、本体１の下側開口部に底部５を取り付ける。底部５を取り付ける際には、分析窓３と異なり平坦に取り付ける必要がないことから、作業者は気泡が入らないようにすることだけに注力できるので、気泡が入りにくいが、それでも気泡８ａが入った場合には、以下のように気泡抜きを行うことができる。
【００２３】
図５に示すように、容器を上下逆のままやや傾け、気泡８ａを底部５の内面に沿って上方（矢印の方向）へ移動させて隅に集め、その空気が孔２ａを通らないようにしながら、再度容器を上下逆にして、図１に示すように、容器内部の空気全体８を仕切り部２の下側に溜める。この気泡抜きにより、分析窓３のすぐ下にはＸ線を減衰させる空気がない状態になるので、上面照射による蛍光Ｘ線分析を正しく行える。
【００２４】
図４を参照しながら前述したように、この容器で下側開口部に底部５を取り付ける際には気泡が入りにくいが、仮に前記従来第１の容器で分析窓を取り付ける際と同程度の気泡８ａが入ったとしても、それよりも前に容器内部に溜まっている空気がないので、図５の状態から図１の状態に至る気泡抜きの作業を容易かつ確実に行うことができる。また、仕切り部２の下側に溜まる空気８も、底部５を取り付ける際に入った気泡８ａ（図４、図５）の分だけで微量であるので、それが測定中に温度上昇により膨張しても、分析窓３が張り出して平坦でなくなるようなことはほとんどない。したがって、検出手段１３と液体試料７との距離が変わって分析が不正確になることもなく、破裂するおそれもない。
【００２５】
以上のように、第１実施形態の蛍光Ｘ線分析用液体試料容器によれば、分析窓３が平坦でかつその内側に空気がなく、容器内部の空気全体８の量も少ないように、液体試料７を容易に充填できる。なお、フィルムからなる分析窓３および底部５は使い捨てられるが、第１実施形態の容器を構成する本体１、上側係止部材４および下側係止部材６は、洗浄するなどして繰り返し使用できる。
【００２６】
次に、本発明の第２実施形態の液体試料容器について説明する。図１の第１実施形態の容器が、本体１の下側開口部にフィルムからなる底部５を着脱自在に取り付けるための下側係止部材６を備えるのに対し、第２実施形態の容器は、図６に示すように、本体１の下側開口部に着脱自在なキャップ状の底部１５を備える点で異なるが、その他の構成は同様であるので、同一部分に同一符号を付して説明を省略する。この底部１５は、本体１や上側係止部材４と同様に、例えば、ポリプロピレン、ポリエチレンなどからなる。
【００２７】
液体試料７を充填するにあたって、図４の第１実施形態の容器では、下側係止部材６と本体１との間にフィルムからなる底部５の周辺部５ａを挟持させて、本体１の下側開口部に底部５を取り付けるのに対し、第２実施形態の容器では、本体１の下側開口部にキャップ状の底部１５（図６）を嵌める点で異なるが、その他の手順は同様であり、前記第１実施形態の容器と同様の作用効果が得られる。なお、フィルムからなる分析窓３は使い捨てられるが、第２実施形態の容器を構成する本体１、上側係止部材４および底部１５は、洗浄するなどして繰り返し使用できる。
【図面の簡単な説明】
【００２８】
【図１】本発明の第１実施形態の蛍光Ｘ線分析用液体試料容器を示す縦断面図である。
【図２】同容器において、本体に分析窓を取り付ける際の状態を示す縦断面図である。
【図３】同容器において、液体試料を入れる際の状態を示す縦断面図である。
【図４】同容器において、本体に底部を取り付ける際の状態を示す縦断面図である。
【図５】同容器において、気泡抜きを行う際の状態を示す縦断面図である。
【図６】本発明の第２実施形態の蛍光Ｘ線分析用液体試料容器を示す縦断面図である。
【図７】従来第１の蛍光Ｘ線分析用液体試料容器を示す縦断面図である。
【図８】同容器において、液体試料を入れる際の状態を示す縦断面図である。
【図９】同容器において、本体に分析窓を取り付ける際の状態を示す縦断面図である。
【図１０】同容器において、気泡抜きを行う際の状態を示す縦断面図である。
【符号の説明】
【００２９】
１  本体
１ａ  外側側部
１ｂ  内側側部
２  仕切り部
２ａ  仕切り部の孔
３  分析窓
３ａ  分析窓の周辺部
４  上側係止部材
５，１５  底部
５ａ  底部の周辺部
６  下側係止部材
７  液体試料
１１  １次Ｘ線
【図１】
2005345442.tif 000003
【図２】
2005345442.tif 000004
【図３】
2005345442.tif 000005
【図４】
2005345442.tif 000006
【図５】
2005345442.tif 000007
【図６】
2005345442.tif 000008
【図７】
2005345442.tif 000009
【図８】
2005345442.tif 000010
【図９】
2005345442.tif 000011
【図１０】
2005345442.tif 000012